(57)【要約】      （修正有）【課題】操作時の衝突音を低減し、かつ安定した接触状態を確保する。【解決手段】押圧弾性体３０にストッパー３３を形成し、操作時においてストッパー３３を操作部材であるキートップ４０に弾性衝突を発生させ、これによってキートップ４０とケース１０との衝突音を低減する。また、接触片２０が操作時に押圧弾性体３０によって押圧されることにより安定した電気接触が可能となる。【選択図】図２
2010238480.tif 000002
【特許請求の範囲】
【請求項１】
開口部の底面中央に中央電極が形成され該中央電極の外側にはサイド電極が形成された前記底面に段差部を有するケースと、板状導電性金属からなる略環状の外側接触部が前記サイド電極に載置され前記外側接触部から中心部に向かって舌状に内側接触部が延出する接触片と、中空状の略円錐形状の弾性体からなり該略円錐状の頂部から底部に向って突出する凸状押圧部が形成され該円錐形状の底部には前記外側接触部に載置される接地部が形成された押圧弾性体と、前記開口部を塞ぐ天面を有するキートップからなるスイッチであり、前記押圧弾性体の接地部からは前記キートップの天面方向に突出する凸状のストッパーが形成され、前記キートップの前記天面と前記押圧弾性体の前記ストッパー部との間隔が前記ケースの前記段差部と前記キートップの前記天面との間隔よりも小さいことを特徴とするスイッチ。
【発明の詳細な説明】
【技術分野】
【０００１】
本発明は、各種電子機器の基板（例えばプリント配線基板）に実装されるスイッチ（例えば押釦スイッチ）の構造に係り、特にスイッチの操作音の消音化、かつ確実な接触を得るための構造に関するものである。
【背景技術】
【０００２】
従来、この種の押釦スイッチは、操作面とは反対側に突出した突起部が、接点部を有する弾性部材に設けられた前記突起部を受ける受け部に当接することによりキートップ操作する際の打撃音が低減されるものである。
【先行技術文献】
【特許文献】
【０００３】
特開２００８−２７７０１８号公報
【発明の概要】
【発明が解決しようとする課題】
【０００４】
しかしながら、前述の従来例では、突起部が当接する弾性部材の受け部は接点部を有していることにより、キートップを打撃した際に打撃音の低減はなされるものの、前記受け部に突起部が当接されることにより弾性部材の変形が発生し、それによって一体となっている接点部における接触が不安定なものとなる問題があった。  
【０００５】
また、前記突起部と前記受け部とをキートップおよび弾性部材に設けるスペースが新たに必要となるためにスイッチの小型化を難しくするという問題があった。  
【０００６】
本発明は、上述の問題点に鑑みてなされたもので、操作時の打撃音を低減できるとともに、安定した接触を可能にするスイッチ構造を提供することを目的とするものである。
【課題を解決するための手段】
【０００７】
請求項１記載の発明は、開口部の底面中央に中央電極が形成され該中央電極の外側にはサイド電極が形成された前記底面に段差部を有するケースと、板状導電性金属からなる略環状の外側接触部が前記サイド電極に載置され前記外側接触部から中心部に向かって舌状に内側接触部が延出する接触片と、中空状の略円錐形状の弾性体からなり該略円錐状の頂部から底部に向って突出する凸状押圧部が形成され該円錐形状の底部には前記外側接触部に載置される接地部が形成された押圧弾性体と、前記開口部を塞ぐ天面を有するキートップからなるスイッチであり、前記押圧弾性体の接地部からは前記キートップの天面方向に突出する凸状のストッパーが形成され、前記キートップの前記天面と前記押圧弾性体の前記ストッパー部との間隔が前記ケースの前記段差部と前記キートップの前記天面との間隔よりも小さいことを特徴とする。
【発明の効果】
【０００８】
キートップ天面と押圧弾性体のストッパーとの間隔が、ケースの底面とガイド片との間隔より小さいことにより、スイッチ操作時には最初にキートップ天面がストッパーに当接し、これによって操作時の衝突音を低減できる。  
【０００９】
また、電気的な接触は接触片とケースに設けられた電極との間でなされるため、キートップ天面とストッパーとの当接は電気的接触に影響をおよぼすことがなく、さらには、ケース底面のサイド電極に接触片の外側接触部が載置され、さらにその上に載置された押圧弾性体のストッパーが操作時にキートップ天面によって押されることにより、操作時には接触片の外側接触部とサイド電極との接触は安定し確実な電気的接触が行われるものである。
【図面の簡単な説明】
【００１０】
【図１】本発明に係る押釦スイッチの平面図
【図２】図１Ａ−Ａ箇所における断面図
【図３】図１Ｂ−Ｂ箇所における断面図
【発明を実施するための形態】
【００１１】
次に本発明の実施形態について説明する。図１は本発明を実施した押釦スイッチの平面図、図２は図１のＡ−Ａ線断面図、図３は図１のＢ−Ｂ線断面図、であり、本発明を実施した押釦スイッチ０１は、電極を含むケース１０に、導電性の接触片２０、押圧弾性体３０を組み入れ、その上からキートップ４０を被せて組み立てられる構造となっており、各個品は以下の通りのものである。  
【００１２】
ケース１０は絶縁材料からなり、上面側に開口部を有し、底面部には中央に中央電極１１、その外側にサイド電極１２が一体成形され、また開口部の深さ方向の途中には、これから述べるキートップ４０と操作時に干渉して一定の操作ストロークを確保する段差部１３が形成されている。  
【００１３】
接触板２０は導電性の薄板状金属からなり、リング状の形状を有した外側接触片２１と、そのリング状の内側１箇所から厚み方向に一定角度をもって中心部に向かって舌状に演出した内側接触片２２からなり、外側接触片２１をケース１０のサイド電極１２に載置して組み込まれる。  
【００１４】
押圧弾性体３０は中空状の略円錐形状の弾性体からなり、略円錐形の底部全周には円錐形状のスロープ面から段差を有する接地部３２が形成され、その接地部３２の段差からは円錐底面に対して垂直方向に突出した複数のストッパー３３が形成されており、組み込みの際には接触片２０の外側接触片に略円錐状の底面を載置して組み入れられる。  
【００１５】
そして、この押圧弾性体３０を組み込んだ上から絶縁材料からなるキートップ４０を組み込む。キートップ４０はケース１０の開口部を塞ぐことができる略同形の天面４１を有し、また天面には全周にリブが形成されおり、その外周の一部からケース１０に係止される係止部（図示せず）が延出している。  
【００１６】
このように組み立てられた押釦スイッチ０１は、図２に示すようにキートップ４０に対して略垂直な方向の力を加えることにより、キートップ４０が押圧弾性体３０を下方向へ弾性変形させ、それによって押圧弾性体３０の中央部に下方向に向って突出した凸状押圧部が接触片２０の内側接触片２２に当接、さらに内側接触片２２を中央電極１１に接触させる。そしてそれによって、ケース１０の底面の中央電極１１とサイド電極１２は電気的に接続され、スイッチ０１はＯＮ状態となる。  
【００１７】
次に本押釦スイッチ０１の操作時の衝突音の低減が可能となる構造について説明する。まず、操作時の衝突音は、キートップ天面４１の全周に形成されたリブがケース１０に形成された段差部１３に衝突することによって発生する。このため、本押釦スイッチは、その衝突が起こる前に弾性的な衝突を発生させ、キートップ天面４１の全周に形成されたリブとケース１０に形成された段差部１３との衝突を低減または無くすことによって衝突音を低減するものである。  
【００１８】
まず、キートップ４０を押圧することにより天面４１が押圧弾性体３０を変形させ、それによって押圧弾性体３０の凸状押圧部３１が接触片２０の内側接触片２２を押し込みケース１０の底面に形成された中央電極１１に接触させ押釦スイッチ０１をＯＮ状態とする。通常であれば、次にキートップ天面４１とケース１０の段差部１３との衝突が起こり、衝突音が発生するのであるが、本押釦スイッチ０１においては、押圧弾性体３０の接地部３２から円錐底面に対して垂直方向に複数のストッパー３３を形成し、このストッパー３３のキートップ方向の面と天面４１のリブとの間隔を、ケース１０の段差部１３と天面４１のリブとの間隔より小さくすることにより、まず最初にストッパー３３と天面４１のリブとの弾性衝突を発生させ、これによって次に発生するケース１０の段差部１３と天面４１のリブとの衝突音を低減させるものである。ここで、操作ストロークを調整することによりストッパー３３と天面４１のリブとの弾性衝突だけを発生させ、後のケース１０の段差部１３と天面４１のリブとの衝突を発生させないことも可能である。  
【００１９】
また、本押釦スイッチにおいては、サイド電極１２に外側接触片が載置され、その上に押圧弾性体が載置されていることにより、操作時には衝突音の低減とともに、ストッパー３３が押圧されそれによって外側接触片２１とサイド電極１２との接触圧が大きくなり安定したスイッチのＯＮ状態を保つことが可能となる。
【産業上の利用可能性】
【００２０】
この発明は押圧弾性体を用いて操作部材との弾性衝突を起こし、消音化を促進することが必要であるスイッチに利用可能である。横方向の動作、回転方向の動作を有するスイッチに関しても利用可能である。
【符号の説明】
【００２１】
０１  押釦スイッチ  １０  ケース  １１  中央電極  １２  サイド電極  １３  段差部  ２０  接触片  ２１  外側接触片  ２２  内側接触片  ３０  押圧弾性体  ３１  凸状押圧部  ３２  接地部  ３３  ストッパー  ４０  キートップ  ４１  天面
【図１】
2010238480.tif 000003
【図２】
2010238480.tif 000004
【図３】
2010238480.tif 000005